(57)【特許請求の範囲】
【請求項１】
壁面に一対の横受桟を固定し、該一対の横受桟の上面に棚板を固定し、対面する上記横受桟の横面に一対のソケットを固定し、該一対のソケットにハンガーパイプの端部を挿入して保持させ、該一対のソケットの間に上記ハンガーパイプを装着する押入れ構造の施工方法であって、
上記ソケットは、両端部にネジ穴を設けた固定板部と、該固定板部の中央部から垂下され上記ハンガーパイプの端部を挿入保持するためのパイプ保持部とを有すると共に、  
上記ネジ穴は、上記パイプ保持部よりも外方に位置し、
上記パイプ保持部は、上記横受桟よりも下方に配置されており、
上記ハンガーパイプの装着にあたっては、まず上記一対のソケットの固定板部の一方のネジ穴にネジを通し、上記横受桟に対して上記一対のソケットを回動可能に仮固定し、
次いで上記一対のソケットを傾けて上記パイプ保持部の上端開口部と上記棚板との間の間隔を広げ、上記上端開口部より上記パイプ保持部内に上記ハンガーパイプの端部を挿入して保持させ、
次いで上記一対のソケットを略水平に戻して上記一対のソケットの固定板部の他方のネジ穴にネジを通し、上記横受桟に対して上記一対のソケットを固定することを特徴とする押入れ構造の施工方法。
【発明の詳細な説明】
【０００１】
【技術分野】
本発明は、棚板とハンガーパイプとを有する押入れ構造の施工方法に関する。
【０００２】
【従来技術】
従来、図１２〜図１４に示すごとく、衣装用タンスや、壁収納等の押入れ構造には、壁面９１１に一対の横受桟９２１を固定し、これら横受桟９２１の上面にハンガーパイプ９４付きの棚板９３を設けたものがある。
上記棚板９３に設けた一対のソケット９５には、上記ハンガーパイプ９４の端部９４１を挿入してたる。上記ソケット９５は、上記棚板９３の下面にネジ止めしてある。
【０００３】
上記ソケット９５は、図１４に示すごとく、両端部にネジ穴９５０を設けた固定板部９５１と、固定板部９５１の中央部から垂下され上記ハンガーパイプ９４の端部を挿入保持するための有底円筒状のパイプ保持部９５２とを有している。
そして、上記押入れ構造は、上記ハンガーパイプ９４に衣装ハンガー等を懸けてたり、上記棚板９３の上面に衣装箱等の荷物を載置して使用する。
【０００４】
【発明が解決しようとする課題】
しかしながら、上記押入れ構造においては、次の問題がある。
即ち、図１２に示すごとく、上記ハンガーパイプ９４を保持するソケット９５は、上記棚板９３に固定されている。そのため、上記ハンガーパイプ９４に衣装ハンガーを懸け、上記棚板９３に荷物を載置すると、上記棚板９３には上記衣装ハンガーと荷物とを合計した荷重がかかる。それ故、上記衣装ハンガー及び荷物の合計重量が制限される。
【０００５】
また、図１２に示すごとく、上記ソケット９５は、木ネジ９６１により上記店板９３に対して下方向から取付けられている。そのため、上記ソケット９５に下向きに荷重がかかり、上記ソケット９５が上記棚板９３から抜け落ちやすくなる。
それ故、上記ハンガーパイプ９４に懸けることのできる衣装ハンガーの重量が制限される。
【０００６】
また、図１４（ａ）に示すごとく、上記固定板部９５１に設けたネジ穴９５０に木ネジ９６１を通す際に、上記パイプ保持部９５２が邪魔となる。それ故、上記ソケット９５の固定に手間取り、施工が困難となる。
【０００７】
本発明は、かかる従来の問題点に鑑みてなされたもので、棚板に載置できる重量又はハンガーパイプに懸けることのできる重量を、従来に比べて増やすことができる押入れ構造の施工方法を提供しようとするものである。
【０００８】
【課題の解決手段】
請求項１に記載の発明は、壁面に一対の横受桟を固定し、該一対の横受桟の上面に棚板を固定し、対面する上記横受桟の横面に一対のソケットを固定し、該一対のソケットにハンガーパイプの端部を挿入して保持させ、該一対のソケットの間に上記ハンガーパイプを装着する押入れ構造の施工方法であって、  上記ソケットは、両端部にネジ穴を設けた固定板部と、該固定板部の中央部から垂下され上記ハンガーパイプの端部を挿入保持するためのパイプ保持部とを有すると共に、  
上記ネジ穴は、上記パイプ保持部よりも外方に位置し、上記パイプ保持部は、上記横受桟よりも下方に配置されており、上記ハンガーパイプの装着にあたっては、まず上記一対のソケットの固定板部の一方のネジ穴にネジを通し、上記横受桟に対して上記一対のソケットを回動可能に仮固定し、次いで上記一対のソケットを傾けて上記パイプ保持部の上端開口部と上記棚板との間の間隔を広げ、上記上端開口部より上記パイプ保持部内に上記ハンガーパイプの端部を挿入して保持させ、
次いで上記一対のソケットを略水平に戻して上記一対のソケットの固定板部の他方のネジ穴にネジを通し、上記横受桟に対して上記一対のソケットを固定することを特徴とする押入れ構造の施工方法にある。
【０００９】
上記ソケットは、上記壁面に固定された横受桟に固定してあり、かつ上記ソケットは上記横受桟に対してネジにより横方向から取付けられている。
【００１０】
また、上記ハンガーパイプを保持するソケットは、上記横受桟に固定されている。そのため、上記ハンガーパイプに衣装ハンガー等を懸けても、衣装ハンガーの荷重は上記横受桟にかかり、上記棚板にはかからない。それ故、上記ハンガーパイプに係る重量と上記棚板にかかる重量とは無関係となり、両者にかかる合計重量がすべて棚板にかかるということがない。
【００１１】
従って、上記棚板に載置できる重量が制限されることはなく、上記棚板に載置できる重量を増やすことができる。逆に、上記棚板に荷物等を載置しても、荷物の重量は関係なく、上記ハンガーパイプに懸けることのできる重量を増やすことができる。
【００１２】
また、上記ソケットは、ネジにより上記横受桟に対して横方向から取付けられている。そのため、上記ソケットに下向きに荷重がかかった場合にも、上記ソケットが上記横受桟から抜け落ちにくく、上記ハンガーパイプに懸けることのできる重量をさらに増やすことができる。
【００１３】
また、上記ソケットがネジにより上記横受桟に対して横方向から取付けられているので、上記棚板がネジを保持する厚みを必要とせず、棚板自体の厚みを薄くすることもできる。
【００１４】
また、上記一対の横受桟の間には、該横受桟と平行に少なくとも１つの中央受桟を設けてなり、上記横受桟及び中央受桟には、それぞれ上記ソケットを固定しでなり、該ソケットの間には、上記ハンガーパイプを装着してなり、かつ上記ソケットは、上記横受桟及び中央受桟の横面にネジ止めしてあってもよい。この場合には、上記ハンガーパイプにかかる荷重を分散させることができる。
【００１５】
また、上記ソケットは、両端部にネジ穴を設けた固定板部と、該固定板部の中央部から垂下され上記ハンガーパイプの端部を挿入保持するためのパイプ保持部とを有しており、上記ネジ穴は、上記パイプ保持部よりも外方に位置する。
【００１６】
上記固定板部に設けたネジ穴は上記パイプ保持部よりも外方に位置する。そのため、上記ネジ穴にネジを通す際に、上記パイプ保持部が邪魔とならない。それ故、上記ソケットの固定に手間取らず、施工が容易になる。
【００１７】
上記施工方法においては、上記ハンガーパイプの装着にあたって、上記ソケットの一方のネジ穴のみにネジを通し、上記横受桟に対して上記ソケットを回動可能に仮固定しておく。次いで、上記仮固定したネジ穴内のネジを回動中心として、
上記ソケットを回動させることにより傾けて、上記保持部内に上記ハンガーパイプの端部を挿入する。次いで、上記ソケットを略水平に戻して、他方のネジ穴にネジを通し、上記横受桟に対して上記ソケットを固定する。
【００１８】
上記のごとく、上記施工方法においては、上記ハンガーパイプを上記ソケットに容易に装着できる。また、上記ソケットを用いているため、上記ソケットの固定も簡単である。それ故、上記ハンガーパイプの装着及び上記ソケットの固定に手間取らず、施工が容易になる。
【００１９】
【発明の実施の形態】
参考形態例
本発明の参考形態例にかかる押入れ構造につき、図１〜図６を用いて説明する。本例の押入れ構造１は、図１〜図６に示すごとく、壁面１１に一対の横受桟２１，２１を固定し、該横受桟２１の上面には棚板３を設けたものであって、対面する上記横受桟２１には、ハンガーパイプ４の端部４１を挿入保持する一対のソケット５を固定してなり、該一対のソケット５、５の間には、上記ハンガーパイプ４を装着してなる。また、上記ソケット５は、木ネジ６１により上記横受桟２１の横面２１５にネジ止めしてある。
【００２０】
以下、詳説する。
上記一対の横受桟２１，２１は、図２に示すごとく、押入れの横側の壁面１１に対して木ネジにより固定してある。また、上記一対の横受桟２１，２１の間において、押入れの奥側の壁面１２には後受桟２２が木ネジにより固定してある。
【００２１】
また、上記一対の横受桟２１，２１の間には、図３に示すごとく、該横受桟２１と平行に１つの中央受桟２３が設けてある。中央受桟２３の端部は、Ｌ字金具により上記後受桟２２に固定してある。なお、上記中央受桟２３は、支え金具により上記壁面１２に固定され、支持されている。また、上記横受桟２１、後受桟２２、中央受桟２３は、木製の角材である。
【００２２】
上記棚板３は、図４に示すごとく、荷物を載置するための板本体部３１と、該板本体部３１の前端部から下方に垂下した前框３２とよりなる。上記板本体部３１の横端部、後端部は、図２に示すごとく、上記横受桟２１及び後受桟２２の上面に対して釘により固定してある。上記前框３２は、その裏面３２１側から上記Ｌ型金具により上記横受桟２１及び中央受桟２３の端部に固定してある。
【００２３】
図２に示すごとく、上記前框３２の裏面３２１より数センチの位置において、上記横受桟２１及び中央受桟２３には、それぞれ上記ソケット５が固定してある。
上記ソケット５は、図５に示すごとく、断面Ｔ字形状であり、両端部にネジ穴５１１、５１２を設けた固定板部５１と、該固定板部５１の中央部から垂下され上記ハンガーパイプ４の端部４１を挿入保持するための断面Ｕ字形状のパイプ保持部５２とを有しており、上記ネジ穴５１１，５１２は、上記パイプ保持部５２よりも外方に位置する。
【００２４】
また、上記パイプ保持部５２は、上記ハンガーパイプ４の軸方向のガタツキを防止するためのパイプ受部５２１を有する。なお、図中の符号５３は桟当部であり、符号５１３は補助用ネジ穴である。
【００２５】
また、図１，図２に示すごとく、上記ソケット５は、上記横受桟２１の横面２１５及び中央受桟２３の横面２３５にネジ止めしてある。また、上記左右の横受桟２１に固定されたソケット５，５と上記中央受桟２３に固定されたソケット５，５との間には、上記ハンガーパイプ４が装着してある。上記ハンガーパイプ４の端部４１は、図６に示すごとく、上記ソケット５のパイプ保持部５２に挿入保持されている。
【００２６】
そして、上記押入れ構造１は、上記ハンガーパイプ４に衣装ハンガー等を懸けたり、上記棚板３の上面に衣装箱等の荷物を載置して使用する。
【００２７】
次に、本例の作用効果につき説明する。本例においては、図１に示すごとく、上記ハンガーパイプ４を保持するソケット５は、上記横受桟２１及び中央受桟２３に固定されている。そのため、上記ハンガーパイプ４に衣装ハンガーを懸けても、衣装ハンガーの荷重は上記横受桟２１，中央受桟２３，及び支え金具にかかり、上記棚板３にはかからない。
【００２８】
それ故、上記ハンガーパイプ４にかかる衣装ハンガーの重量と、上記棚板３にかかる荷物の重量とは無関係となり、従来例に示したように両者にかかる合計重量がすべて棚板にかかるということがない。
【００２９】
従って，上記棚板３に載置できる荷物の重量が制限されることはなく，従来に比べて，上記棚板３に載置できる荷物の重量を増やすことができる。
逆に，上記棚板３に上記荷物を載置しても，荷物の重量とは関係なく，従来に比べて，上記ハンガーパイプ４に懸けることのできる衣装ハンガーの重量を増やすことができる。
【００３０】
また，図１に示すごとく，上記ソケット５は，木ネジ６１により上記横受桟２１及び中央受桟２３に対して横方向から取付けられている。そのため，上記ソケット５に下向きに荷重がかかった場合にも，上記ソケット５が上記横受桟２１，中央受桟２３から抜け落ちにくい。それ故，衣装ハンガーの重量をさらに増やすことができる。
【００３１】
また，上記ソケット５が木ネジ６１により上記横受桟２１及び中央受桟２３に対して，横方向から取付けられているので，上記棚板３が木ネジ６１を保持する厚みを必要とせず，棚板３自体の厚みを薄くすることもできる。
【００３２】
また，上記左右一対の横受桟２１，２１，及び上記中央受桟２３に上記ソケット５を固定し，それらの間に左右２本の短いハンガーパイプ４を装着してある。そのため，ハンガーパイプ１本にかかる荷重を分散させることができる。
【００３３】
実施形態例
本例は，参考形態例に示した押入れ構造１を施工するにあたり，図７〜図１１に示すごとく，上記壁面１１，１２に対して上記後受桟２２，横受桟２１，中央受桟２３，棚板３，ソケット５及びハンガーパイプ４を順次組み付けていく施工方法である。
【００３４】
まず，図７に示すごとく，上記後受桟２２を通じて木ネジ６１を壁面１２に打設し，上記壁面１２に対して上記後受桟２２を固定する。同様に，上記横受桟２１を通じて木ネジ６１を壁面１１に打設し，上記壁面１１に一対の横受桟２１，２１を固定する。
【００３５】
次いで，Ｌ型金具７１のネジ穴７１０を通じて，上記後受桟２２と中央受桟２３とに木ネジを打設し，上記後受桟２２の略中央に上記中央受桟２３を固定する。また，直角三角形の支え金具７２を上記中央受桟２３と上記壁面１２とに固定し，上記中央受桟２３を上記壁面１２に固定する。
これにより，上記横受桟２１，後受桟２２，中央受桟２３が，同一平面状において略Ｅ字形状に配設される。
【００３６】
次いで，図８，図９に示すごとく，上記略Ｅ字形状に配設された受桟の上面に上記棚板３を載せ，上記一対の横受桟２１，２１及び後受桟２２の上面に対して，釘６２により棚板３の板本体部３１を固定する。
また，上記Ｌ型金具７１と木ネジとを用いて，上記横受桟２１及び中央受桟２３に上記前框３２を固定する。
【００３７】
次いで，図１０，図１１に示すごとく，対面する上記横受桟２１の横面２１５及び中央受桟２３の横面２３５に一対のソケット５，５を固定し，上記ハンガーパイプ４を装着する。
【００３８】
上記ハンガーパイプ４の装着にあたって，図１０（ａ）に示すごとく，上記横受桟２１及び中央受桟２３に対して，上記前框３２の裏面３２１より数センチ離れた位置に，それぞれ上記ソケット５を取付ける。
【００３９】
即ち，まず，上記ソケット５（図５）の固定板部５１における，前框３２よりのネジ穴５１１のみに木ネジ６１を通し，上記横受桟２１の横面２１５に対して上記ソケット５を回動可能に仮固定する。
同様に，上記中央受桟２３の横面２３５に対しても，上記ソケット５を回動可能に仮固定する。
【００４０】
次いで，図１０（ｂ）に示すごとく，上記仮固定したネジ穴５１１内の木ネジ６１を回動中心として，上記ソケット５を回動させて傾ける。これにより，上記パイプ保持部５２の上端開口部５２０と上記棚板３との間の間隙を広げる。
そして，図１１（ａ）に示すごとく，上記上端開口部５２０より上記パイプ保持部５２内に上記ハンガーパイプ４の端部４１を挿入して保持させる。
【００４１】
次いで，図１１（ｂ）に示すごとく，上記ソケット５を水平に戻して，他方のネジ穴５１２に木ネジ６１を通し，上記横受桟２１に対して上記ソケット５の全体を強固に固定する。なお，同様に，上記補助用ネジ穴５１３（図５）に木ネジ６１を通して固定してもよい。
これにより，上記ハンガーパイプ４は，その端部４１を上記パイプ受部５２１に当接された状態で，上記パイプ保持部５２に保持される（図６）。
【００４２】
上記のごとく，本例の施工方法においては，上記ソケット５を回動させ傾けた状態で上記ハンガーパイプ４を挿入するので，上記ハンガーパイプ４を上記ソケット５に容易に装着できる。
また，参考形態例に示した断面Ｔ字形状のソケット５（図５）を用いている。そのため，上記ネジ穴５１１，５１２に木ネジ６１を通す際に，上記パイプ保持部５２が邪魔とならず，上記ソケット５を容易に固定できる。
それ故，上記ハンガーパイプ４の装着及び上記ソケット５の固定に手間取らず，施工が容易になる。
【００４３】
また，上記横受桟２１に固定するソケット５と，上記中央受桟２３に固定するソケット５とは，同一形状のものを使用することができる。そのため，２種類のソケットを用意する必要がなく，低コスト化を図ることができる
【００４４】
また，上記ソケット５，５は，それぞれ上記横受桟２１の横面２１５及び中央受桟２３の横面２３５に固定板部５１を固定されるので，両者のパイプ保持部５２がねじれの位置関係になりにくい。そのため，上記ハンガーパイプ４が斜めに設置されることを防止することができる。
また，上記ソケット５の固定は，上記ハンガーパイプ４の装着状態を確認した後で行うことができるので，上記ソケット５の固定位置は容易に修正できる。
【００４５】
【発明の効果】
上述のごとく，本発明によれば，棚板に載置できる重量又はハンガーパイプに懸けることのできる重量を，従来に比べて増やすことができる押入れ構造の施工方法を提供することができる。
【図面の簡単な説明】
【図１】  参考形態例における，押入れ構造の正面説明図。
【図２】  参考形態例における，押入れ構造の底面斜視図。
【図３】  参考形態例における，受桟の底面斜視図。
【図４】  参考形態例における，棚板の底面斜視図。
【図５】  参考形態例における，ソケットの（ａ）正面図，（ｂ）側面図，（ｃ）背面図。
【図６】  参考形態例における，ソケットに装着したハンガーパイプの断面図。
【図７】  実施形態例における，壁面への受桟の固定状態を示す斜視図。
【図８】  実施形態例における，受桟への棚板の固定状態を示す斜視図。
【図９】  実施形態例における，受桟への棚板の固定状態を示す側面図。
【図１０】  実施形態例における，受桟へのソケットの仮固定順序を示す説明図。
【図１１】  実施形態例における，（ａ）仮固定したソケットへのハンガーパイプの装着，及び（ｂ）受桟へのソケットの固定を示す斜視図。
【図１２】  従来例における，押入れ構造の正面説明図。
【図１３】  従来例における，押入れ構造の底面斜視図。
【図１４】  従来例における，ソケットの（ａ）正面図，（ｂ）側面図，（ｃ）斜視図。
【符号の説明】
１．．．押入れ構造，
１１，１２．．．壁面，
２１．．．横受桟，
２１５．．．横面，
２２．．．後受桟，
２３．．．中央受桟，
２３５．．．横面，
３．．．棚板，
４．．．ハンガーパイプ，
４１．．．端部，
５．．．ソケット，
５１．．．固定板部，
５１１，５１２．．．ネジ穴，
５２．．．パイプ保持部，
【図１】
0003955406.tif 000002
【図２】
0003955406.tif 000003
【図３】
0003955406.tif 000004
【図４】
0003955406.tif 000005
【図５】
0003955406.tif 000006
【図６】
0003955406.tif 000007
【図７】
0003955406.tif 000008
【図８】
0003955406.tif 000009
【図９】
0003955406.tif 000010
【図１０】
0003955406.tif 000011
【図１１】
0003955406.tif 000012
【図１２】
0003955406.tif 000013
【図１３】
0003955406.tif 000014
【図１４】
0003955406.tif 000015